(57)【要約】【課題】非接触の温度検出手段による検出温度の補正係数を定着装置の温まり具合に応じて変化させことにより加圧体の温度制御の精度を向上させることができる定着装置の制御方法を提供する。【解決手段】トナー画像を加熱定着させる回転可能な加熱体１２と、加熱体１２に圧接されて加熱体１２との間にニップ部３０を形成する回転可能な加圧体２４と、加熱体１２の温度を検出する第１温度検出手段２０ａ，２０ｂと、加圧体２４の温度を検出するために加圧体２４に対して非接触で近接配置された第２温度検出手段４４と、加熱体１２および加圧体２４をそれぞれ温度制御する制御部７２とを備えた定着装置５０において、制御部７２は、第１温度検出手段の検出温度２０ａ，２０ｂに基づいて補正係数Ｒを決定し、第２温度検出手段４４の検出温度Ｔに補正係数Ｒを乗じて加圧体２４の補正後温度Ｔ'を求め、補正後温度Ｔ'に基づいて加圧体２４を温度制御する。【選択図】図２
2006337488.tif 000002
【特許請求の範囲】
【請求項１】
トナー画像を加熱定着させる回転可能な加熱体と、前記加熱体に圧接されて前記加熱体との間にニップ部を形成する回転可能な加圧体と、前記加熱体の温度を検出する第１温度検出手段と、前記加圧体の温度を検出するために前記加圧体に対して非接触で近接配置された第２温度検出手段と、前記加熱体および前記加圧体をそれぞれ温度制御する制御部とを備えた定着装置の制御方法であって、
前記制御部は、前記第１温度検出手段の検出温度に基づいて補正係数を決定し、前記第２温度検出手段の検出温度に前記補正係数を乗じて前記加圧体の補正後温度を求め、前記補正後温度に基づいて前記加圧体を温度制御することを特徴とする定着装置の制御方法。
【請求項２】
前記第１温度検出手段は前記加熱体に接触させた２つの温度検出器からなり、前記制御部は、前記補正係数を決定するために、前記２つの温度検出器の各検出温度の少なくとも一方を判断要素として用いることを特徴とする請求項１に記載の定着装置の制御方法。
【請求項３】
前記制御部は、前記補正係数を決定するために、前記第２温度検出手段の検出温度も判断要素として用いることを特徴とする請求項１または請求項２に記載の定着装置の制御方法。
【請求項４】
トナー画像を加熱定着させる回転可能な加熱体と、前記加熱体に圧接されて前記加熱体との間にニップ部を形成する回転可能な加圧体と、前記加熱体の温度を検出する第１温度検出手段と、前記加圧体の温度を検出するために前記加圧体に対して非接触で近接配置された第２温度検出手段と、前記加熱体および前記加圧体をそれぞれ温度調節する制御部とを備えた定着装置であって、
前記制御部は、前記第１温度検出手段の検出温度に基づいて補正係数を決定し、前記第２温度検出手段の検出温度に前記補正係数を乗じて前記加圧体の補正後温度を求め、前記補正後温度に基づいて前記加圧体を温度制御することを特徴とする定着装置。
【請求項５】
前記第１温度検出手段は前記加熱体に接触させた２つの温度検出器からなり、前記制御部は、前記補正係数を決定するために、前記２つの温度検出器の各検出温度の少なくとも一方を判断要素として用いることを特徴とする請求項４に記載の定着装置。
【請求項６】
前記制御部は、前記補正係数を決定するために、前記第２温度検出手段の検出温度も判断要素として用いることを特徴とする請求項４または請求項５に記載の定着装置。
【請求項７】
請求項４ないし請求項６のいずれかに記載の定着装置を備えた画像形成装置。
【発明の詳細な説明】
【技術分野】
【０００１】
本発明は、電子写真方式の複写機やプリンタなどに用いられる定着装置の制御方法、定着装置、および、画像形成装置に関する。
【背景技術】
【０００２】
従来、電子写真方式の画像形成装置において、用紙表面に形成されたトナー画像を加熱定着するための定着装置が用いられている。前記定着装置として、例えば特許文献１には、図４に示すものが開示されている。この定着装置１０は、例えば樹脂製無端シート状の定着ベルト１２を備えている。定着ベルト１２は、回転可能な加熱ローラ１４と回転不能に固定配置されたニップ形成部材１６とに所定のテンションを付与された状態で掛け渡されている。
【特許文献１】特開２００４−２８６９２４号公報
【０００３】
例えば金属製円筒で構成される加熱ローラ１４には、ハロゲンランプ等のヒータ（以下、「加熱側ヒータ」という）１８が内蔵されている。また、加熱ローラ１４の外表面には、サーミスタ２０が接触して配置されている。
【０００４】
ニップ形成部材１６は、例えば耐熱性樹脂で形成され、定着ベルト１２の全幅に亘って支持するように延設されている。ニップ形成部材１６の背面には、例えば金属棒からなるバックアップ部材２２が配設されており、このバックアップ部材２２によってニップ形成部材１６がその長手方向と直交する方向に撓むのを防止している。
【０００５】
定着ベルト１２のニップ形成部材１６で支持された部分には、加圧ローラ２４が圧接されている。加圧ローラ２４は、矢印Ａ方向に回転駆動されるようになっている。加圧ローラ２４は、内側層をなす例えば金属円筒状の芯金２６と、この芯金２６の外周面に接着された例えばシリコーンゴム等の弾性層２８とからなる２層構造を有している。
【０００６】
加圧ローラ２４に対向するニップ形成部材１６の表面は、加圧ローラ２４の半径（例えば１５ｍｍ）とほぼ同じ曲率半径（例えば１５．４ｍｍ）を有する凹状湾曲面として形成されている。これにより、互いに接触する定着ベルト１２と加圧ローラ２４との間には、加圧ローラ２４の周方向に沿った長さが例えば９ｍｍの幅広のニップ部３０が形成されている。
【０００７】
前記構成からなる定着装置１０では、加圧ローラ２４が矢印Ａ方向に回転駆動されることによって、定着ベルト１２が矢印Ｂ方向に回転する。このとき、定着ベルト１２の回転にしたがって加熱ローラ１４は矢印Ｃ方向に回転するが、ニップ形成部材１６は回転不能に固定されているため定着ベルト１２はニップ形成部材１６の表面に沿って摺動することになる。
【０００８】
加熱ローラ１４は、加熱側ヒータ１８によって内部から加熱される。サーミスタ２０で温度を監視しながら加熱側ヒータ１８をオンオフ制御することによって、加熱ローラ１４は例えば約１９０℃に昇温および保持される。このように加熱された加熱ローラ１４から伝熱されることによって、回転する定着ベルト１２はその全周に亘って例えば約１７０℃に加熱される。
【０００９】
定着ベルト１２が約１７０℃まで加熱されると、定着装置１０は定着可能な状態になる。この状態で、表面にトナー画像を担持した用紙がニップ部３０へ下側から導入されて上方へ搬送される際に、定着ベルト１２に接触したトナー画像が用紙に加熱定着される。
【００１０】
上述した定着装置１０では、加圧ローラ２４は加熱源を有しないが、図５に示す定着装置４０のように、加圧ローラ２４にもハロゲンランプ等のヒータ（以下、「加圧側ヒータ」という）４２を内蔵したものもある。加圧ローラ２４に加圧側ヒータ４２を設ける理由としては、ニップ部３０を通過する用紙を裏面からも加熱することによって定着性能を向上させることと、連続通紙した場合に単位時間あたりに用紙に奪われる熱量が多くなることによって加圧ローラ２４の表面温度が低下してニップ部３０における定着ベルト１２との温度差が大きくなると定着後の用紙カール量が大きくなるために加圧ローラ２４を積極的に加熱することによって前記カール量を抑制するため等がある。
【００１１】
この定着装置４０では、加圧ローラ２４の外周面にサーミスタ４４を接触配置し、サーミスタ４４で検出される温度に基づいて加圧側ヒータ４２をオンオフ制御することにより加圧ローラ４４の表面温度を例えば約１２０℃に昇温および保持するように制御する。
【００１２】
前記定着装置４０では、回転する加圧ローラ２４にサーミスタ４４が接触配置されているため、加圧ローラ２４の弾性層２８の表面と、サーミスタ４４の接触面が摩耗する。サーミスタ４４が摩耗すると温度検出性能が変化し、加圧ローラ２４が摩耗すると画像ノイズの原因となる。また、サーミスタ４４が加圧ローラ２４に接触していると、紙紛やトナー等がサーミスタ４４と加圧ローラ２４との間に堆積して固化し、更に加圧ローラ２４を傷付けたり、紙紛等の異物が運ばれて画像に付着することもある。
【００１３】
このような不具合を解消するために、サーミスタ４４を加圧ローラ２４に対して非接触で近接配置し、サーミスタ４４の検出温度に加圧ローラ２４との間の距離に応じた補正係数を掛けて加圧ローラ２４の温度を求めることが考えられる。しかしながら、サーミスタ４４を加圧ローラ２４に非接触で配置した場合には、サーミスタ４４の検出温度はその近傍の雰囲気温度の影響を受けるために、サーミスタ４４の検出温度に一定の補正係数を乗じても加圧ローラ２４の正確な温度を得ることができないという問題がある。加圧ローラ２４の正確な温度が得られなければ、加圧ローラ２４を精度良く温度制御することができない。
【００１４】
一方、サーミスタ４４近傍の雰囲気温度は定着装置４０の温まり具合によって変化するものであるから、定着装置４０の温まり具合によって前記補正係数を変化させれば加圧ローラ２４についてより正確な温度検出が可能になる。
【発明の開示】
【発明が解決しようとする課題】
【００１５】
そこで、本発明は、非接触の温度検出手段による検出温度の補正係数を定着装置の温まり具合に応じて変化させことにより加圧体の温度制御の精度を向上させることができる定着装置およびその制御方法を提供することを課題とする。
【課題を解決するための手段】
【００１６】
前記課題を解決するために、本発明は、トナー画像を加熱定着させる回転可能な加熱体と、前記加熱体に圧接されて前記加熱体との間にニップ部を形成する回転可能な加圧体と、前記加熱体の温度を検出する第１温度検出手段と、前記加圧体の温度を検出するために前記加圧体に対して非接触で近接配置された第２温度検出手段と、前記加熱体および前記加圧体をそれぞれ温度調節する制御部とを備えた定着装置の制御方法であって、
前記制御部は、前記第１温度検出手段の検出温度に基づいて補正係数を決定し、前記第２温度検出手段の検出温度に前記補正係数を乗じて前記加圧体の補正後温度を求め、前記補正後温度に基づいて前記加圧体を温度制御することを特徴とするものである。
【００１７】
本発明の定着装置の制御方法において、前記第１温度検出手段は前記加熱体に接触させた２つの温度検出器からなり、前記制御部は、前記補正係数を決定するために、前記２つの温度検出器の各検出温度の少なくとも一方を判断要素として用いてもよい。
【００１８】
また、本発明の定着装置の制御方法において、前記制御部は、前記補正係数を決定するために、前記第２温度検出手段の検出温度も判断要素として用いてもよい。
【００１９】
本発明の定着装置は、トナー画像を加熱定着させる回転可能な加熱体と、前記加熱体に圧接されて前記加熱体との間にニップ部を形成する回転可能な加圧体と、前記加熱体の温度を検出する第１温度検出手段と、前記加圧体の温度を検出するために前記加圧体に対して非接触で近接配置された第２温度検出手段と、前記加熱体および前記加圧体をそれぞれ温度制御する制御部とを備えた定着装置であって、
前記制御部は、前記第１温度検出手段の検出温度に基づいて補正係数を決定し、前記第２温度検出手段の検出温度に前記補正係数を乗じて前記加圧体の補正後温度を求め、前記補正後温度に基づいて前記加圧体を温度制御することを特徴とするものである。
【００２０】
本発明の定着装置において、前記第１温度検出手段は前記加熱体に接触させた２つの温度検出器からなり、前記制御部は、前記補正係数を決定するために、前記２つの温度検出器の各検出温度の少なくとも一方を判断要素として用いてもよい。
【００２１】
また、本発明の定着装置において、前記制御部は、前記補正係数を決定するために、前記第２温度検出手段の検出温度も判断要素として用いてもよい。
【００２２】
さらに、本発明は、前記定着装置を備えた画像形成装置を提供するものである。
【発明の効果】
【００２３】
本発明の定着装置の制御方法および定着装置では、第１温度検出手段の検出温度に基づいて補正係数を決定している。これはすなわち、第１温度検出手段の検出温度に基づいて第２温度検出手段近傍の雰囲気温度を推定し、その推定した雰囲気温度に応じて補正係数を変化させるものである。このように加圧体に非接触配置された第２温度検出手段近傍の雰囲気温度に応じて補正係数を変化させ、その補正係数を第２温度検出手段の検出温度に乗じて補正後温度を求めることによって加圧体の温度をより正確に検出することができ、これにより制御部による加圧体の温度制御の精度を向上させることができる。その結果、加圧体の温度のバラツキがなくなり、定着画像の安定性が向上する。
【発明を実施するための最良の形態】
【００２４】
以下に、本発明の実施の形態について添付図面を参照して説明する。
図１は、本発明の一実施形態である定着装置５０を用いた画像形成装置１００の概略構成を示す。画像形成装置１００は、矢印Ｄ方向に回転駆動される感光体ドラム５２を備えている。感光体ドラム５２の周囲には、その回転方向に沿って順に、感光体ドラム５２の表面を均一帯電させる帯電装置５４、均一帯電された感光体ドラム１２の表面にレーザ露光して静電潜像を形成する露光装置５６、感光体ドラム５２の表面に形成された静電潜像をトナーにより現像してトナー画像とする現像装置５８、前記トナー画像を感光体ドラム５２から用紙に転写する転写装置６０が配設されている。
【００２５】
画像形成装置１００の下部には、給紙トレイ６２が配設されている。給紙トレイ６２内に積載収容された用紙Ｐは、給紙ローラ６４によって上側から１枚ずつ用紙搬送路６６に送り出されるようになっている。用紙搬送路６６は、給紙ローラ６４からレジストローラ対６８、感光体ドラム５２と転写装置６０との間の転写部、および定着装置５０を経て、排紙ローラ７０まで延びている。
【００２６】
また、画像形成装置１００は、制御部７２を備えている。制御部７２は、画像形成装置１００全体の動作を制御するとともに、後述するように定着装置５０の制御も行うものである。
【００２７】
前記構成からなる画像形成装置１００では、感光体ドラム５２の表面が帯電装置５４によって均一帯電された後、露光装置５６によって画像データに応じてレーザ露光されることで静電潜像が形成される。その静電潜像は、現像装置５８によってトナーで現像されてトナー画像となる。そのトナー画像は、感光体ドラム５２の回転にしたがって転写装置６０との対向位置である転写部に移動する。
【００２８】
給紙トレイ６２から給紙ローラ６４によって用紙搬送路６６に送り出された用紙Ｐは、レジストローラ対６８によって一旦停止された後に前記トナー画像が転写部に移動するタイミングで転写部に送り込まれる。転写部では、転写装置６０の静電作用によってトナー画像が感光体ドラム５２から用紙Ｐの表面に転写される。
【００２９】
その後、トナー画像が転写された用紙Ｐは、定着装置５０を通過する際にトナー画像が加熱定着される。そして、用紙Ｐは、排紙ローラ対７０によって排紙口７４を介して排紙トレイ７６上に排出される。
【００３０】
次に、本実施形態の定着装置５０についてその制御方法を含めて説明する。
定着装置５０の基本構成は、図５を参照して上述した定着装置４０とほぼ同様である。すなわち、定着装置５０は、図２に示すように、例えば樹脂製無端シート状の定着ベルト（加熱体）１２を備えている。定着ベルト１２は、回転可能な加熱ローラ１４と回転不能に固定配置されたニップ形成部材１６とに所定のテンションを付与された状態で掛け渡されている。
【００３１】
例えば金属製円筒で構成される加熱ローラ１４には、例えば出力７００Ｗのハロゲンランプ等のヒータ（以下、「加熱側ヒータ」という。）１８が内蔵されている。加熱側ヒータ１８は、制御部７２によってオンオフ制御されるようになっている。また、加熱ローラ１４の外表面には、第１温度検出手段である２つのサーミスタ（温度検出器）２０ａ，２０ｂが接触配置されている。サーミスタ２０ａは加熱ローラ１４の軸方向中央部に接触し、サーミスタ２０ｂは加熱ローラ１４の軸方向一端部に接触している。サーミスタ２０ａ，２０ｂによる各検出温度は制御部７２にそれぞれ入力されるようになっている。
【００３２】
なお、加熱ローラ１４の温度を検出する第１温度検出手段は、加熱ローラ１４の中央部または端部に接触配置された１つのサーミスタだけであってもよい。また、第１温度検出手段であるサーミスタ２０ａ，２０ｂは、直接的には加熱ローラ１４の温度を検出するものであるが、加熱体である定着ベルト１２の温度を間接的に検出する手段を構成するものである。
【００３３】
ニップ形成部材１６は、例えば耐熱性樹脂で形成され、定着ベルト１２の全幅に亘って支持するように延設されている。ニップ形成部材１６の背面には、例えば金属棒からなるバックアップ部材２２が配設されており、このバックアップ部材２２によってニップ形成部材１６がその長手方向と直交する方向に撓むのを防止している。
【００３４】
定着ベルト１２のニップ形成部材１６で支持された部分には、加圧ローラ（加圧体）２４が圧接されている。加圧ローラ２４は、矢印Ａ方向に回転駆動されるようになっている。加圧ローラ２４は、内側層をなす例えば金属円筒状の芯金２６と、この芯金２６の外周面に接着された外側層をなす例えばシリコーンゴム等の弾性層２８とからなる２層構造を有している。
【００３５】
加圧ローラ２４に対向するニップ形成部材１６の表面は、加圧ローラ２４の半径（例えば１５ｍｍ）とほぼ同じ曲率半径（例えば１５．４ｍｍ）を有する凹状湾曲面として形成されている。これにより、互いに接触する定着ベルト１２と加圧ローラ２４との間には、加圧ローラ２４の周方向に沿った長さが例えば９ｍｍの幅広のニップ部３０が形成されている。
【００３６】
加圧ローラ２４には、例えば出力３００Ｗのハロゲンランプ等のヒータ（以下、「加圧側ヒータ」という。）４２が内蔵されている。加圧側ヒータ４２は、制御部７２によってオンオフ制御されるようになっている。また、加圧ローラ２４の外周面近傍には、第２温度検出手段であるサーミスタ４４が加圧ローラ２４に対して非接触で近接配置されている。サーミスタ４４による検出温度は、制御部７２に入力されるようになっている。
【００３７】
前記構成からなる定着装置１０では、次のようにしてウォームアップ動作が行われる。なお、ウォームアップ動作は、朝一に主電源をオンしたとき、主電源をオンし直したとき、ジャム処理やユニット交換した後の画像形成装置本体カバークローズ時、スリープモード復帰時などに行われる。
【００３８】
加圧ローラ２４が矢印Ａ方向に回転駆動されることによって、定着ベルト１２が矢印Ｂ方向に回転する。このとき、定着ベルト１２の回転にしたがって加熱ローラ１４は矢印Ｃ方向に回転するが、ニップ形成部材１６は回転不能に固定されているため定着ベルト１２はニップ形成部材１６の表面に沿って摺動することになる。
【００３９】
加熱ローラ１４は、加熱側ヒータ１８によって内部から加熱される。サーミスタ２０ａ，２０ｂで温度を監視しながら加熱側ヒータ１８をオンオフ制御することによって、加熱ローラ１４は設定温度である例えば約１９０℃に昇温されて保持される。このように加熱された加熱ローラ１４から伝熱されることによって、回転する定着ベルト１２はその全周に亘って例えば約１７０℃に加熱される。
【００４０】
加圧ローラ２４もまた、加圧側ヒータ４２によって内部から加熱される。このとき、昇温する加圧ローラ２４の温度は、サーミスタ４４によって検出されて、制御部７２に入力される。しかし、サーミスタ４４は、加圧ローラ２４に対して非接触であるため、サーミスタ４４で検出される温度は加圧ローラ２４の実際の温度よりも低いものになる。そのため、制御部７２は、サーミスタ４４の検出温度Ｔに補正係数Ｒを乗じて得られる補正後温度Ｔ'を加圧ローラ２４の温度制御の基礎として用いる。加圧ローラ２４は、前記補正後温度Ｔ'が設定温度である約１２０℃まで昇温されて保持される。加熱ローラ１４および加圧ローラ２４がそれぞれ所定の設定温度に昇温したとき、ウォームアップ動作が完了する。
【００４１】
ウォームアップ動作が完了すると、制御部７２は、定着可能状態であることを示すレディのフラグを立てる。この状態で、印刷指令があると、制御部７２は、画像形成動作および定着動作を実行する。すなわち、定着装置５０においては、表面にトナー画像を担持した用紙Ｐがニップ部３０へ下側から導入されて上方へ搬送される際に、定着ベルト１２に接触したトナー画像が用紙に加熱定着される。
【００４２】
一方、前記レディフラグが立った状態で印刷指令がない場合には、定着装置５０は待機状態になる。この待機状態では、加圧ローラ２４および定着ベルト１２が回転停止状態にあって、加熱ローラ１４および加圧ローラ２４が各設定温度にそれぞれ保持されるように温度制御される。
【００４３】
上述したように、制御部７２は、サーミスタ４４の検出温度Ｔに補正係数Ｒを乗じて得られる補正後温度Ｔ'を加圧ローラ２４の温度制御の基礎として用いる。しかしながら、サーミスタ４４は加圧ローラ２４に非接触で配置されていることで、サーミスタ４４の検出温度Ｔはその近傍の雰囲気温度の影響を受けるために、サーミスタ４４の検出温度に一定の補正係数を乗じても加圧ローラ２４の正確な温度を得ることができない。したがって、加圧ローラ２４の正確な温度が得られなければ、加圧ローラ２４を精度良く温度制御することができない。そこで、本実施形態の定着装置５０では、次のようにして前記補正係数Ｒを決定している。
【００４４】
制御部７２は、メモリを有し、そのメモリには図３に示すような表が格納されている。図３の表では、サーミスタ２０ａにより検出される加熱ローラ１４の中央部温度ＴA、前記中央部温度ＴAとサーミスタ２０ｂにより検出される加熱ローラ１４の端部温度ＴBとの差ＴC、および、サーミスタ４４による検出温度Ｔに基づいて、補正係数ＲをＮｏ．１〜３２までの３２段階で変化させてある（ただし、ここには同一値の補正係数Ｒも含まれるため、３２種類の補正係数Ｒが存在するわけではない）。制御部７２は、前記ＴA、ＴＣ、Ｔに基づいて、補正係数Ｒを決定する。
【００４５】
これはすなわち、前記ＴA、ＴＣ、Ｔに基づいて定着装置５０の温まり具合からサーミスタ４４近傍の雰囲気温度を推定し、その推定した雰囲気温度に応じて補正係数Ｒを変化させるものである。このように加圧ローラ２４に非接触配置されたサーミスタ４４近傍の雰囲気温度に応じて補正係数Ｒを変化させ、その補正係数Ｒをサーミスタ４４の検出温度Ｔに乗じて補正後温度Ｔ'を求めることによって加圧ローラ２４の温度をより正確に検出することができ、これにより制御部７２による加圧ローラ２４の温度制御の精度を向上させることができる。その結果、加圧ローラ２４の温度のバラツキがなくなり、定着画像の安定性が向上する。
【００４６】
ここで、図３に示す表は単なる例示であり、制御部７２による補正係数Ｒの決定方法には種々の変更が考えられる。例えば、図３の表では、前記ＴA、ＴＣ、Ｔを補正係数Ｒを決定するための判断要素として用いたが、前記ＴAと前記ＴＣだけを判断要素として用いてもよい。この場合には、図３の例に従えば、補正係数Ｒは８段階に分けられる。あるいは、前記ＴＡ（または前記ＴＢ）だけを補正係数Ｒを決定するための判断要素として用いてもよい。この場合には、図３の表に従えば、補正係数Ｒは４段階に分けられる。このように補正係数Ｒを決定した場合であっても、補正係数Ｒを常に一定にする場合に比べると、制御部７２による加圧ローラ２４の温度制御の精度を向上させることができる。
【００４７】
なお、本発明の定着装置は、上述した実施形態に限定されるものではなく、種々の変更が可能である。
【００４８】
例えば、加熱ローラ１４や加圧ローラ２４を加熱するヒータは、ハロゲンランプの他に、例えばＩＨヒータやシートヒータなどが使用できる。また、本発明は、加圧ローラ２４がヒータを有しない場合であっても、適用可能である。
【００４９】
また、定着装置５０では、加圧ローラ２４に対向して定着ベルト１２を支持する部材として回動不能に固定配置されたニップ形成部材１６を用いたが、これに代えて回転可能なローラを用いてもよく、この場合には定着ベルト１２は３つ以上のローラで内側から支持されてもよい。
【００５０】
また、本発明は、加熱ローラ１４と加圧ローラ２４とが直接圧接されて構成されるローラ対タイプの定着装置にも適用可能である。この場合、加熱ローラ１４が加熱体となる。
【００５１】
また、本発明は、加圧ローラ２４に代えて、内側基材層と外側弾性層の２層構造を有する加圧ベルトを加圧体として用いた定着装置にも適用可能である。
【００５２】
さらに、本発明の定着装置を備えた画像形成装置は、モノクロまたはフルカラーの複写機、プリンタ、ファクシミリ、これらの複合機などであってもよい。
【図面の簡単な説明】
【００５３】
【図１】画像形成装置の概略構成図。
【図２】定着装置の側面図。
【図３】制御部が補正係数を決定するために用いられる表。
【図４】従来の定着装置の一例を示す図。
【図５】従来の定着装置の別の例を示す図。
【符号の説明】
【００５４】
１２…定着ベルト（加熱体）
１４…加熱ローラ
１６…ニップ形成部材
１８…加熱側ヒータ
２０ａ，２０ｂ…サーミスタ（第１温度検出手段、温度検出器）
２４…加圧ローラ（加圧体）
３０…ニップ部
４２…加圧側ヒータ
４４…サーミスタ（第２温度検出手段）
５０…定着装置
７２…制御部
１００…画像形成装置
【図１】
2006337488.tif 000003
【図２】
2006337488.tif 000004
【図３】
2006337488.tif 000005
【図４】
2006337488.tif 000006
【図５】
2006337488.tif 000007